(57)【要約】【課題】装置固有な情報と媒体固有な情報とに関し、装置が追記型媒体に記録する上で領域効率が悪く、その情報を取得する上で時間がかかる。【解決手段】ＯＰＣ領域７およびデータ領域７の使用領域を含む媒体固有情報１１と、その媒体を装着した複数の装置固有情報１１とを１つのブロックに結合して、装置媒体情報追記領域８にある装置媒体情報領域９に記録する。装置固有情報１１は、その媒体を装着した時系列でソートされ、より最近に装着された装置のものが選択的に保存される。最後に記録された装置媒体情報領域９から、有用な装置固有情報１０と媒体固有情報１１を取得できる。【選択図】　図６
2004146008.tif 000002
【特許請求の範囲】
【請求項１】
ブロック単位に記録再生を行う追記型記録媒体であって、
データを記録するためのデータ領域と、装置固有情報を記録するための装置情報追記領域とを備え、
前記装置情報追記領域は、複数の装置情報領域を割り付けることができる領域を有し、その領域の一方の端から順に前記装置情報領域が記録され、
前記装置情報領域は、少なくとも１つのブロックであって、Ｍは２以上の整数であって、最大Ｍ個の装置に対する前記装置固有情報を格納でき、前記追記型記録媒体に記録した時刻の新しい装置順に前記装置固有情報を配置している
ことを特徴とした追記型記録媒体。
【請求項２】
ブロック単位に記録再生を行う追記型記録媒体であって、
データを記録するためのデータ領域と、装置固有情報と媒体固有情報を記録する装置媒体情報追記領域とを備え、
前記装置媒体情報追記領域は、複数の装置媒体情報領域を割り付けることができる領域を有し、その領域の一方の端から順に前記装置媒体情報領域が記録され、
前記装置媒体情報領域は、少なくとも１つのブロックであって、Ｍは２以上の整数であって、最大Ｍ個の装置に対する前記装置固有情報を格納できる領域と、前記媒体固有情報を格納できる領域とからなり、前記追記型記録媒体に記録した時刻の新しい装置順に前記装置固有情報を配置している
ことを特徴とした追記型記録媒体。
【請求項３】
Ｍは２のべき乗である、請求項１の追記型記録媒体。
【請求項４】
Ｍは２のべき乗から１を引いた値である、請求項２の追記型記録媒体。
【請求項５】
前記装置固有情報は、前記追記型記録媒体を装着し得る装置が、前記データ領域を記録再生する際に利用する情報である、請求項１または２の追記型記録媒体。
【請求項６】
前記媒体固有情報は、前記データ領域の最終記録位置の情報を備える、請求項２の追記型記録媒体。
【請求項７】
前記追記型記録媒体は、さらに最適な記録条件を学習するためのＯＰＣ領域を備え、
前記媒体固有情報は、前記ＯＰＣ領域の利用可能位置の情報を備える、請求項２の追記型記録媒体。
【請求項８】
前記ブロック単位は、誤り訂正の単位である、請求項１または２の追記型記録媒体。
【請求項９】
前記媒体固有情報は、前記データ領域の最終記録位置との間に未記録領域を含まない位置の情報を備える、請求項２の追記型記録媒体。
【請求項１０】
前記媒体固有情報は、前記データ領域の最終記録位置から所定以内の範囲にある位置の情報を備える、請求項２の追記型記録媒体。
【請求項１１】
ブロック単位に記録再生を行う追記型記録媒体のための情報記録再生方法であって、
前記追記型記録媒体は、
データを記録するためのデータ領域と、装置固有情報を記録するための装置情報追記領域とを備え、
前記装置情報追記領域は、複数の装置情報領域を割り付けることができる領域を有し、
前記装置情報領域は、少なくとも１つのブロックであって、Ｍは２以上の整数であって、最大Ｍ個の装置に対する前記装置固有情報を格納でき、
前記情報記録再生方法は、
（ａ）最後に記録された前記装置情報領域を読み出すステップと、
（ｂ）最大Ｍ個の前記装置固有情報の中に自ら記録したものがあれば前記装置固有情報を利用して記録再生に必要な学習を行い、前記装置固有情報の中に自ら記録したものがなければデフォルトの学習を行うステップと、
（ｃ）自らの学習結果を内容とする前記装置固有情報を、最大Ｍ個の前記装置固有情報の中の先頭に配置するステップと、
（ｄ）最大Ｍ個の前記装置固有情報を含む内容を、前記装置情報追記領域の中で未記録で且つ一方の端に位置する前記装置情報領域に記録するステップと
を備えたことを特徴とした情報記録再生方法。
【請求項１２】
ブロック単位に記録再生を行う追記型記録媒体のための情報記録再生方法であって、
前記追記型記録媒体は、
データを記録するためのデータ領域と、装置固有情報と媒体固有情報を記録するための装置媒体情報追記領域と、最適な記録条件を学習するためのＯＰＣ領域を備え、
前記装置媒体情報追記領域は、複数の装置媒体情報領域を割り付けることができる領域を有し、
前記装置媒体情報領域は、少なくとも１つのブロックであって、Ｍは２以上の整数であって、最大Ｍ個の装置に対する前記装置固有情報と、前記媒体固有情報とを格納でき、
前記情報記録再生方法は、
（ａ）最後に記録された前記装置媒体情報領域を読み出すステップと、
（ｅ）媒体固有情報から学習に利用できるＯＰＣ領域を決定するステップと、
（ｂ）最大Ｍ個の前記装置固有情報の中に自ら記録したものがあれば前記装置固有情報を利用して記録再生に必要な学習を行い、前記装置固有情報の中に自ら記録したものがなければデフォルトの学習を行うステップと、
（ｃ）自らの学習結果を内容とする前記装置固有情報を、最大Ｍ個の前記装置固有情報の中の先頭に配置するステップと、
（ｆ）ステップ（ｅ）で学習に利用したＯＰＣ領域の位置を、前記媒体固有情報に記載するステップと、
（ｄ）最大Ｍ個の前記装置固有情報と前記媒体固有情報とを含む内容を、前記装置媒体情報追記領域の中で未記録で且つ一方の端に位置する前記装置媒体情報領域に記録するステップと
を備えたことを特徴とする情報記録再生方法。
【請求項１３】
ブロック単位に記録再生を行う追記型記録媒体のための情報記録再生方法であって、
前記追記型記録媒体は、
データを記録するためのデータ領域と、装置固有情報と媒体固有情報を記録するための装置媒体情報追記領域と、最適な記録条件を学習するためのＯＰＣ領域を備え、
前記装置媒体情報追記領域は、複数の装置媒体情報領域を割り付けることができる領域を有し、
前記装置媒体情報領域は、少なくとも１つのブロックであって、Ｍは２以上の整数であって、最大Ｍ個の装置に対する前記装置固有情報と、前記媒体固有情報とを格納でき、
前記情報記録再生方法は、
（ａ）最後に記録された前記装置媒体情報領域を読み出すステップと、
（ｅ）前記媒体固有情報から学習に利用できるＯＰＣ領域を取得するステップと、
（ｇ）前記媒体固有情報からデータ領域の最終記録位置を取得するステップと、
（ｂ）最大Ｍ個の前記装置固有情報の中に自ら記録したものがあれば前記装置固有情報を利用して記録再生に必要な学習を行い、前記装置固有情報の中に自ら記録したものがなければデフォルトの学習を行うステップと、
（ｃ）自らの学習結果を内容とする前記装置固有情報を、最大Ｍ個の前記装置固有情報の中の先頭に配置するステップと、
（ｆ）ステップ（ｅ）で学習に利用したＯＰＣ領域の位置を、前記媒体固有情報に記載するステップと、
（ｈ）データ領域に記録によって変化した最終記録位置を、前記媒体固有情報に記載するステップと、
（ｄ）最大Ｍ個の前記装置固有情報と前記媒体固有情報とを含む内容を、前記装置媒体情報追記領域の中で未記録で且つ一方の端に位置する前記装置媒体情報領域に記録するステップと
を備えたことを特徴とする情報記録再生方法。
【請求項１４】
Ｍは２のべき乗である、請求項１１の情報記録再生方法。
【請求項１５】
Ｍは２のべき乗から１を引いた値である、請求項１２または１３の情報記録再生方法。
【請求項１６】
前記ブロック単位は、誤り訂正の単位である、請求項１１、１２または１３の情報記録再生方法。
【請求項１７】
前記ステップ（ｄ）は、前記追記型記録媒体を装置から排出する直前に実行されることを特徴とする、請求項１１、１２または１３の情報記録再生方法。
【請求項１８】
前記ステップ（ｄ）は、前記追記型記録媒体に記録再生を行わない期間が所定時間以上続いた後に実行されることを特徴とする、請求項１１、１２または１３の情報記録再生方法。
【請求項１９】
前記ステップ（ｈ）においてデータ記録以前の最終記録位置から未記録の領域を挟んでデータ記録が開始される場合に、前記ステップ（ｄ）は実行されることを特徴とする、請求項１３の情報記録再生方法。
【請求項２０】
現在のデータ領域の最終記録位置と、前記ステップ（ｄ）が以前に実行されたときのデータ領域の最終記録位置との差が、所定の範囲を超えた場合に、前記ステップ（ｄ）は実行されることを特徴とする、請求項１３の情報記録再生方法。
【請求項２１】
ブロック単位に記録再生を行う追記型記録媒体のための情報記録再生装置であって、
前記追記型記録媒体は、
データを記録するためのデータ領域と、装置固有情報を記録するための装置情報追記領域とを備え、
前記装置情報追記領域は、複数の装置情報領域を割り付けることができる領域を有し、
前記装置情報領域は、少なくとも１つのブロックであって、Ｍは２以上の整数であって、最大Ｍ個の装置に対する前記装置固有情報を格納でき、
前記情報記録再生装置は、
（ａ）最後に記録された前記装置情報領域を読み出す手段と、
（ｂ）最大Ｍ個の前記装置固有情報の中に自ら記録したものがあれば前記装置固有情報を利用して記録再生に必要な学習を行い、前記装置固有情報の中に自ら記録したものがなければデフォルトの学習を行う手段と、
（ｃ）自らの学習結果を内容とする前記装置固有情報を、最大Ｍ個の前記装置固有情報の中の先頭に配置する手段と、
（ｄ）最大Ｍ個の前記装置固有情報を含む内容を、前記装置情報追記領域の中で未記録で且つ一方の端に位置する前記装置情報領域に記録する手段と
を備えたことを特徴とした情報記録再生装置。
【請求項２２】
ブロック単位に記録再生を行う追記型記録媒体のための情報記録再生装置であって、
前記追記型記録媒体は、
データを記録するためのデータ領域と、装置固有情報と媒体固有情報を記録するための装置媒体情報追記領域と、最適な記録条件を学習するためのＯＰＣ領域を備え、
前記装置媒体情報追記領域は、複数の装置媒体情報領域を割り付けることができる領域を有し、
前記装置媒体情報領域は、少なくとも１つのブロックであって、Ｍは２以上の整数であって、最大Ｍ個の装置に対する前記装置固有情報と、前記媒体固有情報とを格納でき、
前記情報記録再生装置は、
（ａ）最後に記録された前記装置媒体情報領域を読み出す手段と、
（ｅ）媒体固有情報から学習に利用できるＯＰＣ領域を決定する手段と、
（ｂ）最大Ｍ個の前記装置固有情報の中に自ら記録したものがあれば前記装置固有情報を利用して記録再生に必要な学習を行い、前記装置固有情報の中に自ら記録したものがなければデフォルトの学習を行う手段と、
（ｃ）自らの学習結果を内容とする前記装置固有情報を、最大Ｍ個の前記装置固有情報の中の先頭に配置する手段と、
（ｆ）手段（ｅ）で学習に利用したＯＰＣ領域の位置を、前記媒体固有情報に記載する手段と、
（ｄ）最大Ｍ個の前記装置固有情報と前記媒体固有情報とを含む内容を、前記装置媒体情報追記領域の中で未記録で且つ一方の端に位置する前記装置媒体情報領域に記録する手段と
を備えたことを特徴とする情報記録再生装置。
【請求項２３】
ブロック単位に記録再生を行う追記型記録媒体のための情報記録再生装置であって、
前記追記型記録媒体は、
データを記録するためのデータ領域と、装置固有情報と媒体固有情報を記録するための装置媒体情報追記領域と、最適な記録条件を学習するためのＯＰＣ領域を備え、
前記装置媒体情報追記領域は、複数の装置媒体情報領域を割り付けることができる領域を有し、
前記装置媒体情報領域は、少なくとも１つのブロックであって、Ｍは２以上の整数であって、最大Ｍ個の装置に対する前記装置固有情報と、前記媒体固有情報とを格納でき、
前記情報記録再生装置は、
（ａ）最後に記録された前記装置媒体情報領域を読み出す手段と、
（ｅ）前記媒体固有情報から学習に利用できるＯＰＣ領域を取得する手段と、
（ｇ）前記媒体固有情報からデータ領域の最終記録位置を取得する手段と、
（ｂ）最大Ｍ個の前記装置固有情報の中に自ら記録したものがあれば前記装置固有情報を利用して記録再生に必要な学習を行い、前記装置固有情報の中に自ら記録したものがなければデフォルトの学習を行う手段と、
（ｃ）自らの学習結果を内容とする前記装置固有情報を、最大Ｍ個の前記装置固有情報の中の先頭に配置する手段と、
（ｆ）手段（ｅ）で学習に利用したＯＰＣ領域の位置を、前記媒体固有情報に記載する手段と、
（ｈ）データ領域に記録によって変化した最終記録位置を、前記媒体固有情報に記載する手段と、
（ｄ）最大Ｍ個の前記装置固有情報と前記媒体固有情報とを含む内容を、前記装置媒体情報追記領域の中で未記録で且つ一方の端に位置する前記装置媒体情報領域に記録する手段と
を備えたことを特徴とする情報記録再生装置。
【請求項２４】
Ｍは２のべき乗である、請求項２１の情報記録再生装置。
【請求項２５】
Ｍは２のべき乗から１を引いた値である、請求項１２または１３の情報記録再生装置。
【請求項２６】
前記ブロック単位は、誤り訂正の単位である、請求項２１、２２または２３の情報記録再生装置。
【請求項２７】
前記手段（ｄ）は、前記追記型記録媒体を装置から排出する直前に実行されることを特徴とする、請求項２１、２２または２３の情報記録再生装置。
【請求項２８】
前記手段（ｄ）は、前記追記型記録媒体に記録再生を行わない期間が所定時間以上続いた後に実行されることを特徴とする、請求項２１、２２または２３の情報記録再生装置。
【請求項２９】
前記手段（ｈ）において、データ記録以前の最終記録位置から未記録の領域を挟んでデータ記録が開始される場合に、前記手段（ｄ）は実行されることを特徴とする、請求項２３の情報記録再生装置。
【請求項３０】
現在のデータ領域の最終記録位置と、前記手段（ｄ）が以前に実行されたときのデータ領域の最終記録位置との差が、所定の範囲を超えた場合に、前記手段（ｄ）は実行されることを特徴とする、請求項２３の情報記録再生装置。
【発明の詳細な説明】
【０００１】
【発明の属する技術分野】
本発明は、複数の装置に対する装置固有の情報を記録するための装置固有情報領域と、その装置固有情報領域を追加して記録するための装置固有情報追記領域を備えた追記型記録媒体およびその追記型記録媒体の情報記録再生方法および情報記録再生装置に関する。
【０００２】
さらに本発明は、記録済の領域などの媒体固有情報を備えた追記型記録媒体およびその追記型記録媒体の情報記録再生方法および情報記録再生装置に関する。
【０００３】
【従来の技術】
複数の装置の間で交換可能な情報記録媒体として光ディスクがある。音楽用に開発されて近年ではデータ用にも幅広く用いられているＣＤや、ディジタルビデオ用に開発され急激に普及し始めたＤＶＤや、さらにはハイビジョン等のより高品質なビデオ用に開発が進められている次世代光ディスクなどである。
【０００４】
これらの光ディスクには、記録再生方法の違いから大別して、再生専用型と追記型と書換型の３種類がある。追記型とは、消去ができない記録材料が用いられ、媒体上の同じ場所には一度だけ記録できる媒体である。例えば、ＣＤ−ＲやＤＶＤ−Ｒが追記型の媒体にあたる。書換型とは、媒体上の同じ場所に何回でも記録ができる媒体で、ＣＤ−ＲＷやＤＶＤ−ＲＡＭがこれにあたる。
【０００５】
一般的に光ディスク装置は、記録が可能な光ディスクに対して、ユーザデータの記録に先立って、最適な記録条件を求めるために、ＯＰＣ（Ｏｐｔｉｍｕｍ　Ｐｏｗｅｒ　Ｃａｌｉｂｒａｔｉｏｎ）を行う。さらに、光ディスク装置は、光ディスクが再装着された場合にＯＰＣを効率的に行うことができるように、既に求めた記録条件などの装置固有情報を光ディスクに記録しておく。
【０００６】
従来の装置固有情報の記録再生方法に関しては、ＦＩＦＯ（Ｆｉｒｓｔ　Ｉｎ　Ｆｉｒｓｔ　Ｏｕｔ）アルゴリズムに従って、その媒体を以前に装着した装置の中で、より最近に装着した装置の情報を残すようにしている（例えば、特許文献１参照）。
【０００７】
また、他の従来の装置固有情報の記録再生方法に関しては、ＯＰＣ領域自体に、自らの記録条件のみを残すようにしている（例えば、特許文献２参照）。
追記型の光ディスクでは、記録材料の特性上、情報の書換ができないという制限があるため、記録済の領域と未記録の領域とを管理する必要がある。ＣＤ−Ｒでは、楽曲の単位で追加記録できるように、楽曲の単位で記録開始位置と最終記録位置とを管理している。この楽曲の単位はトラック（以降、溝形状を示すトラックと区別するために英大文字のＴＲＡＣＫと記す）と呼ばれる。ＣＤ−ＲはＴＲＡＣＫの単位で内周から外周へ向かってシーケンシャルに記録され、ＴＲＡＣＫの中で記録済領域の間に未記録領域があってはならない。ＣＤ−ＲではＴＲＡＣＫの総数は９９まで許容されているので、ＴＲＡＣＫ単位ではあるが、記録済ＴＲＡＣＫの間に未記録ＴＲＡＣＫを挟むことはできる。一般的に追記型の光ディスクを扱う光ディスク装置は、記録済領域を判別するための媒体固有の情報を、光ディスクを排出する前に書き込み、光ディスクが装着されると読み出すことを行う。
【０００８】
従来の媒体固有情報の記録再生方法に関しては、未記録部を高速に検出できるようにＴＯＣ情報を元に曲間のチェックを行うものもある（例えば、特許文献３参照）。
当初は音楽用に開発されたＣＤ−Ｒであるが、近年はデータ保存用にも利用されている。ＣＤ−Ｒをデータ保存用に用いる場合、ＴＯＣ情報による管理ではなく、ＵＤＦなどのファイルシステムによる管理が行われ、複数のファイルは１つのＴＲＡＣＫに記録される。ＵＤＦでは、ＶＡＴ（Ｖｉｒｔｕａｌ　Ａｌｌｏｃａｔｉｏｎ　Ｔａｂｌｅ）が記録済領域の最も外側に記録されて、このＶＡＴから各ファイルに辿ることができる（例えば、特許文献２参照）。
【０００９】
書換型の情報記録媒体であれば、媒体上の一意の場所に装置固有情報を配置して、必要に応じて最新情報に書き換えればよいし、ＯＰＣ領域に関しても記録済みであれば消去してから利用すればよいので、装置固有情報を媒体に記載する上で何ら問題がなかった。しかしながら、追記型の情報記録媒体の場合は、装置固有情報を最新の内容にするには、別の場所に記録しなければならないから、最新の装置固有情報が記載されている場所をサーチする必要がある。又、ＯＰＣ領域に関しても記録済の領域では学習することはできないので、未記録の領域をサーチする必要がある。
【００１０】
データ領域の記録済と未記録との境界についても、ＣＤ−Ｒなどで最大９９個のＴＲＡＣＫ単位に限定されるため、データ用のファイル管理には使えない。データ用の管理としては、１つのＴＲＡＣＫだけを利用してＶＡＴ等のファイルシステムレベルで管理しており、ＴＲＡＣＫの中で記録領域に挟まれる未記録領域があってはならないとの制限を受けることになる。従って、ランダム記録が実現しにくい情報記録媒体になっている。ＤＶＤ−Ｒも、ＣＤのＴＲＡＣＫに相当するＲＺｏｎｅが定義されており、やはりＲＺｏｎｅの中で記録領域に挟まれる未記録領域があってはならないとの制限を受ける。
【００１１】
【特許文献１】
特許３２８５３３７号
【００１２】
【特許文献２】
特開２００１−３５１２４１号公報
【００１３】
【特許文献３】
特許２７５２００６号
【００１４】
【発明が解決しようとする課題】
しかしながら、上記で説明した装置固有情報もしくは媒体固有情報が記録された情報記録媒体および情報記録再生方法では、追記型の情報記録媒体に対して、記録済と未記録との境界をサーチする領域が複数存在し、情報記録媒体の装着後にユーザデータにアクセスするまでに時間がかかるという問題が発生する。複数の領域のいずれか一つでも境界のサーチに失敗すると誤った情報を取得するという問題も発生する。例えば、最新の装置固有情報が記録されている位置をサーチしたり、利用可能なＯＰＣ領域をサーチしたりする必要がある。
【００１５】
さらに、上記で説明した媒体固有情報が記録された追記型記録媒体および情報記録再生方法では、シーケンシャルに記録しなければならない単位（ＴＲＡＣＫやＲＺｏｎｅ）を前提に記録済領域と未記録領域との境界情報が用いられるため、ファイルシステムレベルで管理するにも制約を受けて、ランダム記録が実現しにくいという問題があった。
【００１６】
本発明は上記問題点に鑑み、装置固有情報と媒体固有情報の内容と、その情報を格納する領域配置を工夫することで、正確且つ迅速にユーザデータをアクセス可能にする追記型記録媒体および情報記録再生方法および情報記録再生装置を提供することを目的とする。
【００１７】
【課題を解決するための手段】
本発明の追記型記録媒体は、ブロック単位に記録再生を行う追記型記録媒体であって、データを記録するためのデータ領域と、装置固有情報を記録するための装置情報追記領域とを備え、前記装置情報追記領域は、複数の装置情報領域を割り付けることができる領域を有し、その領域の一方の端から順に前記装置情報領域が記録され、前記装置情報領域は、少なくとも１つのブロックであって、Ｍは２以上の整数であって、最大Ｍ個の装置に対する前記装置固有情報を格納でき、前記追記型記録媒体に記録した時刻の新しい装置順に前記装置固有情報を配置している。
【００１８】
本発明の追記型記録媒体は、ブロック単位に記録再生を行う追記型記録媒体であって、データを記録するためのデータ領域と、装置固有情報と媒体固有情報を記録する装置媒体情報追記領域とを備え、前記装置媒体情報追記領域は、複数の装置媒体情報領域を割り付けることができる領域を有し、その領域の一方の端から順に前記装置媒体情報領域が記録され、前記装置媒体情報領域は、少なくとも１つのブロックであって、Ｍは２以上の整数であって、最大Ｍ個の装置に対する前記装置固有情報を格納できる領域と、前記媒体固有情報を格納できる領域とからなり、前記追記型記録媒体に記録した時刻の新しい装置順に前記装置固有情報を配置している。
【００１９】
本発明の追記型記録媒体において、Ｍは２のべき乗、もしくは、Ｍは２のべき乗から１を引いた値である。
本発明の追記型記録媒体において、前記装置固有情報は、前記追記型記録媒体を装着し得る装置が、前記データ領域を記録再生する際に利用する情報である。
【００２０】
本発明の追記型記録媒体において、前記媒体固有情報は、前記データ領域の最終記録位置の情報を備える。
本発明の追記型記録媒体において、前記追記型記録媒体は、さらに最適な記録条件を学習するためのＯＰＣ領域を備え、前記媒体固有情報は、前記ＯＰＣ領域の利用可能位置の情報を備える。
【００２１】
本発明の追記型記録媒体において、前記ブロック単位は、誤り訂正の単位である。
本発明の追記型記録媒体において、前記媒体固有情報は、前記データ領域の最終記録位置との間に未記録領域を含まない位置の情報を備える。
【００２２】
本発明の追記型記録媒体において、前記媒体固有情報は、前記データ領域の最終記録位置から所定以内の範囲にある位置の情報を備える。
本発明の情報記録再生方法は、ブロック単位に記録再生を行う追記型記録媒体のための情報記録再生方法であって、前記追記型記録媒体は、データを記録するためのデータ領域と、装置固有情報を記録するための装置情報追記領域とを備え、　前記装置情報追記領域は、複数の装置情報領域を割り付けることができる領域を有し、前記装置情報領域は、少なくとも１つのブロックであって、Ｍは２以上の整数であって、最大Ｍ個の装置に対する前記装置固有情報を格納でき、前記情報記録再生方法は、（ａ）最後に記録された前記装置情報領域を読み出すステップと、（ｂ）最大Ｍ個の前記装置固有情報の中に自ら記録したものがあれば前記装置固有情報を利用して記録再生に必要な学習を行い、前記装置固有情報の中に自ら記録したものがなければデフォルトの学習を行うステップと、（ｃ）自らの学習結果を内容とする前記装置固有情報を、最大Ｍ個の前記装置固有情報の中の先頭に配置するステップと、（ｄ）最大Ｍ個の前記装置固有情報を含む内容を、前記装置情報追記領域の中で未記録で且つ一方の端に位置する前記装置情報領域に記録するステップとを備える。
【００２３】
本発明の情報記録再生方法は、ブロック単位に記録再生を行う追記型記録媒体のための情報記録再生方法であって、前記追記型記録媒体は、データを記録するためのデータ領域と、装置固有情報と媒体固有情報を記録するための装置媒体情報追記領域と、最適な記録条件を学習するためのＯＰＣ領域を備え、前記装置媒体情報追記領域は、複数の装置媒体情報領域を割り付けることができる領域を有し、前記装置媒体情報領域は、少なくとも１つのブロックであって、Ｍは２以上の整数であって、最大Ｍ個の装置に対する前記装置固有情報と、前記媒体固有情報とを格納でき、前記情報記録再生方法は、（ａ）最後に記録された前記装置媒体情報領域を読み出すステップと、（ｅ）媒体固有情報から学習に利用できるＯＰＣ領域を決定するステップと、（ｂ）最大Ｍ個の前記装置固有情報の中に自ら記録したものがあれば前記装置固有情報を利用して記録再生に必要な学習を行い、前記装置固有情報の中に自ら記録したものがなければデフォルトの学習を行うステップと、（ｃ）自らの学習結果を内容とする前記装置固有情報を、最大Ｍ個の前記装置固有情報の中の先頭に配置するステップと、（ｆ）ステップ（ｅ）で学習に利用したＯＰＣ領域の位置を、前記媒体固有情報に記載するステップと、（ｄ）最大Ｍ個の前記装置固有情報と前記媒体固有情報とを含む内容を、前記装置媒体情報追記領域の中で未記録で且つ一方の端に位置する前記装置媒体情報領域に記録するステップとを備える。
【００２４】
本発明の情報記録再生方法は、ブロック単位に記録再生を行う追記型記録媒体のための情報記録再生方法であって、前記追記型記録媒体は、データを記録するためのデータ領域と、装置固有情報と媒体固有情報を記録するための装置媒体情報追記領域と、最適な記録条件を学習するためのＯＰＣ領域を備え、前記装置媒体情報追記領域は、複数の装置媒体情報領域を割り付けることができる領域を有し、前記装置媒体情報領域は、少なくとも１つのブロックであって、Ｍは２以上の整数であって、最大Ｍ個の装置に対する前記装置固有情報と、前記媒体固有情報とを格納でき、前記情報記録再生方法は、（ａ）最後に記録された前記装置媒体情報領域を読み出すステップと、（ｅ）前記媒体固有情報から学習に利用できるＯＰＣ領域を取得するステップと、（ｇ）前記媒体固有情報からデータ領域の最終記録位置を取得するステップと、（ｂ）最大Ｍ個の前記装置固有情報の中に自ら記録したものがあれば前記装置固有情報を利用して記録再生に必要な学習を行い、前記装置固有情報の中に自ら記録したものがなければデフォルトの学習を行うステップと、（ｃ）自らの学習結果を内容とする前記装置固有情報を、最大Ｍ個の前記装置固有情報の中の先頭に配置するステップと、（ｆ）ステップ（ｅ）で学習に利用したＯＰＣ領域の位置を、前記媒体固有情報に記載するステップと、（ｈ）データ領域に記録によって変化した最終記録位置を、前記媒体固有情報に記載するステップと、（ｄ）最大Ｍ個の前記装置固有情報と前記媒体固有情報とを含む内容を、前記装置媒体情報追記領域の中で未記録で且つ一方の端に位置する前記装置媒体情報領域に記録するステップとを備える。
【００２５】
本発明の情報記録再生方法において、Ｍは２のべき乗、もしくは、Ｍは２のべき乗から１を引いた値である。
本発明の情報記録再生方法において、前記ブロック単位は、誤り訂正の単位である。
【００２６】
本発明の情報記録再生方法において、前記ステップ（ｄ）は、前記追記型記録媒体を装置から排出する直前に実行される。
本発明の情報記録再生方法において、前記ステップ（ｄ）は、前記追記型記録媒体に記録再生を行わない期間が所定時間以上続いた後に実行される。
【００２７】
本発明の情報記録再生方法において、前記ステップ（ｈ）において、データ記録以前の最終記録位置から未記録の領域を挟んでデータ記録が開始される場合に、前記ステップ（ｄ）は実行される。
【００２８】
本発明の情報記録再生方法において、現在のデータ領域の最終記録位置と、前記ステップ（ｄ）が以前に実行されたときのデータ領域の最終記録位置との差が、所定の範囲を超えた場合に、前記ステップ（ｄ）は実行される。
本発明の情報記録再生装置は、前記情報記録再生方法を備えた装置である。
【００２９】
【発明の実施の形態】
（実施の形態１）
以下、本発明の実施の形態１の追記型記録媒体について、図面を用いて説明する。
図１は、本発明の実施の形態１における光ディスクの領域構成図である。円盤状のディスク媒体１には、スパイラル状に多数のトラック２が形成されており、各トラック２には細かく分けられた多数のブロック３が形成されている。ブロック３は、エラー訂正の単位であり、記録および再生動作が行われる最小の単位である。また、ディスク媒体１の領域は、リードイン領域４とデータ領域５とリードアウト領域６に大別される。データの記録再生はデータ領域５に対して行われる。リードイン領域４とリードアウト領域６は、光ヘッド（図示せず）がデータ領域５の端へアクセスする場合に、光ヘッドがオーバーランしてもトラックに追随できるようにのりしろとしての役割を果たす。また、リードイン領域４には、ディスクの記録条件を学習するためのＯＰＣ領域７と、装置固有の情報や媒体固有の情報を書き込むための装置媒体情報追記領域８を含んでいる。装置媒体情報追記領域８は、その内容を更新するために、複数の装置媒体情報装置領域９を割り付けることができる。１つの装置媒体情報領域９は、少なくとも１つのブロック３で構成されるが、典型的には１つのブロック３である。
【００３０】
図２は、本発明の実施の形態１における装置媒体情報領域９のデータ構造を示す図である。装置媒体情報領域９に書き込まれる内容は、３１個の装置固有情報１０と１個の媒体固有情報１１で構成される。装置固有情報１０は、この光ディスクを装着した装置を識別する装置識別子１２と、その装置が求めた学習結果１３とを含む。媒体固有情報１１は、その媒体に未記録状態で残っていて学習に利用できる領域を示すＯＰＣ領域の利用可能位置１４と、その媒体のデータ領域５の中で最も外側（トラック２に沿って最も後ろにあるという意で、トラックのスパイラル方向が逆の場合は最も内側になる）に記録済みの位置を示すデータ領域の最終記録位置１５とを含む。
【００３１】
図２において、３１個の装置固有情報１０に付した記号＃に続く値は、説明の便宜上、学習結果１３が求められた時系列を示すためのもので、装置固有情報１０に含まれるものではない。ここでｎは１以上の整数である（記号＃に続く値が計算上で０以下の値になる場合には当該装置固有情報１０は存在しないので、例えば全て０で埋められた内容となる）。
【００３２】
つまり、ディスク媒体１の装置媒体情報領域９には、より最近に当該ディスクが装着されてＯＰＣ領域７を使用した装置の学習結果１３が装置固有情報１０として格納されるとともに、使用したＯＰＣ領域７を示すＯＰＣ領域の利用可能位置１４が媒体固有情報１１として格納されることになる。
【００３３】
図３は、本発明の実施の形態１におけるＯＰＣ領域７の記録状態に伴う装置媒体情報領域９の内容変化の一例を示す図である。ＯＰＣ領域７はディスク媒体１の外周側から使用され、既に装着された装置によって何回かの学習分の領域が記録されている（斜線でハッチングされた領域）。この時点での装置媒体情報追記領域８のｉ番目の装置媒体情報領域９に最新の内容が記録されている。このディスク媒体１を今まで装着していない装置によって記録動作をしようとすると、次のようになる。媒体固有情報１１に記載されているＯＰＣ領域の利用可能位置１４が参照されて、ＯＰＣ領域７から学習１回分の領域に記録動作が行われる（黒色で塗りつぶされた領域）。以前の装置固有情報１０の中で番号３１に配置された最も古い＃（ｎ−３０）の内容は破棄される。以前の装置固有情報１０の中で最も古いものを除く＃ｎ〜＃（ｎ−２９）の内容は、番号１〜３０の場所から番号２〜３１の場所に配置が変更される。新たに学習された装置固有情報は、番号１の場所に＃（ｎ＋１）の装置固有情報１０として配置される。また、新たに使用されたＯＰＣ領域情報は、ＯＰＣ領域の利用可能位置１４に反映されて媒体固有情報１１の内容が変更される。この内容が、装置媒体情報追記領域８の（ｉ＋１）番目の装置媒体情報領域９に記録される。
【００３４】
図３から分かるように、装置固有の学習結果を含む装置固有情報１０と、媒体固有のＯＰＣ領域の使用状況を含む媒体固有情報１１とは、ＯＰＣが行われると両方の内容が変化する。ほぼ同期して変化する内容を同じ領域に記録することは、追記型の情報記録媒体にとって、領域の利用効率の面と領域内の最新情報のサーチ高速化の面でメリットである。従来のように、ＯＰＣ領域の利用状況を示す領域（例えば、ＣＤ−Ｒのカウント領域。特許文献２の図５参照）と、ＯＰＣの学習結果を格納する領域（例えば、ＤＶＤ−ＲＡＭのドライブ情報領域。特許文献１の図２参照）とが領域分離されている場合と比較すると、領域の使用効率および最新情報のサーチ速度の両方に２倍の優位性がある。
【００３５】
図４は、本発明の実施の形態１におけるデータ領域５の記録状態に伴う装置媒体情報領域９の内容変化の一例を示す図である。データ領域５は、ディスク媒体１の比較的内周側から使用され、斜線でハッチングされた領域が記録されている。上述したＯＰＣ後の時点で、装置媒体情報追記領域８の（ｉ＋１）番目の装置媒体情報領域９に最新の内容が記録されているとする。このディスク媒体１のデータ領域５に、新たにデータを記録すると、次のようになる。データ領域５のより外周寄りの領域（黒色で塗りつぶされた領域）が記録されることで、データ領域の最終記録位置１５が変化し、媒体固有情報１１の内容が変更される。ここでは、ＯＰＣを実施していないので、装置固有情報１０の＃（ｎ＋１）〜＃（ｎ−２９）は、そのまま番号１〜３１の位置に配置される。この内容が、装置媒体情報追記領域８の（ｉ＋２）番目の装置媒体情報領域９に記録される。
【００３６】
図４において、データ領域５の記録済領域の中に未記録領域を含んでいないが、含んでいても構わない。即ち、従来のＣＤにおけるＴＲＡＣＫやＤＶＤ−ＲにおけるＲＺｏｎｅという区分けの概念を排除し、これによりその区分けの単位でシーケンシャル記録しなければならないという制限を設けない。本発明の実施の形態１において、データ領域の最終記録位置１５は、ディスク媒体１のデータ領域５の中で最も外側（トラック２に沿って最も後ろにあるという意で、トラックのスパイラル方向が逆の場合は最も内周になる）に記録済みの位置を示すものである。従来例において説明したように、データ用途では、ファイルシステムによるファイルの割付管理が行われるのが一般的で、ＤＶＤ以降においては楽曲であっても１つのファイルとしてファイルシステムが管理する。そして、追記型の光ディスクでは、記録済の最も外側にＶＡＴが記録されて、そのＶＡＴから各種のファイル情報を辿ることができて、ファイルシステムによって記録済領域と未記録領域との管理情報もデータ領域５に記録している。従って、リードイン領域４に記録済領域と未記録領域の管理情報（ＣＤ−Ｒのプログラムマネジメント領域。特許文献２の図５参照）を別途備える必要はない。リードイン領域４に記載される媒体固有の情報としては、ファイルシステムにＶＡＴの位置を知らせるために、データ領域の最終記録位置１５が判別できるものさえあればよい。以上のように、従来のＴＲＡＣＫやＲＺｏｎｅによるデータ領域５の管理のように、記録済領域の間に未記録領域を含めてはいけない制限、即ちシーケンシャル記録が必須となる領域の制限を排除することが可能になり、ランダム記録が行い易くなる。
【００３７】
さらに制限をゆるめることもできる。装置媒体情報記録領域９に記載されたデータ領域の最終記録位置１５と、当該ディスク媒体１のデータ領域５の最外周の記録位置との間に、未記録領域を含まない限り、完全に一致する必要はない。なぜなら、光ディスク装置は、データ領域の最終記録位置１５を起点に、より外周へ向かって、記録済か未記録をの調査をすることで、実際のデータ領域５の最外周の記録位置を判別することができるからである。これについては、実施の形態２で後述する。
【００３８】
図４から分かるように、媒体固有情報１１として、さらにデータ領域の最終記録位置１５を含んだ装置媒体情報領域９を備えることで、データ領域に記録するのに必要な情報を一度に取得することができ、追記型の情報記録媒体にとって、最新情報のサーチ高速化の面でメリットとなる。従来のように、ＯＰＣ領域の利用状況を示す領域（例えば、ＣＤ−Ｒのカウント領域。特許文献２の図５参照）と、データ領域の記録部位を示す領域（例えば、ＣＤ−Ｒのプログラムマネジメント領域。特許文献２の図５）とが分離されている場合と比較すると、最新情報のサーチ速度で２倍の高速になり、領域の使用効率の面でも有利である。
【００３９】
以上から、本発明の実施の形態１によれば、装置固有の学習結果を含む装置固有情報１０と、媒体固有のＯＰＣ領域の使用状況さらにはデータ領域の記録状況を含む媒体固有情報１１とを、同じ領域に記録することにより、領域の利用効率の向上と、領域内の最新情報のサーチ高速化が図れる。さらに、媒体固有情報１１に記載されるデータ領域の記録状況として、データ領域の最終記録位置より内周側に未記録領域を含むことを許容することで、ランダムな場所に記録をすることができる。
【００４０】
（実施の形態２）
以下、本発明の実施の形態２の情報記録再生装置について、図面を用いて説明する。
図５は、本発明の実施の形態２の光ディスク装置１００の構成を示す。
光ディスク装置１００は、上位制御装置（図示せず）にＩ／Ｏバス１７０を介して接続されている。上位制御装置は、典型的には、ホストコンピュータである。　光ディスク装置１００は、上位制御装置からの命令を処理する命令処理部１１０と、ディスク媒体１への記録時の制御を行う記録制御部１２０と、ディスク媒体１からの再生時の制御を行う再生制御部１３０と、装置媒体情報領域９から再生した内容を格納する装置媒体情報格納バッファ１４０と、記録及び再生データを一時的に格納するデータバッファ１５０と、装置媒体情報の処理を行う装置媒体情報処理部１６０とを機能的に備えている。
【００４１】
装置媒体情報処理部１６０は、装置媒体情報追記領域８の中で最後に記録された装置媒体情報領域９をサーチしてからその内容を装置媒体情報格納バッファ１４０に読み出す装置媒体情報読み出し部１６１と、装置媒体情報格納バッファの内容を次に利用する装置媒体情報領域９に書き込む装置媒体情報更新部１６２と、ＯＰＣを実行してからその結果を装置媒体情報格納バッファ１４０に反映する学習処理部１６３と、データ領域５の記録済み領域の最外周位置を管理するデータ領域管理部１６４と、装置媒体情報処理部１６０の動作制御状態を記憶する装置媒体情報制御メモリ１６５とを含む。
【００４２】
以下、図６と図７を参照しながら、本発明の実施の形態２におけるディスク装置１００の動作を説明する。
図６は、本発明の実施の形態２におけるディスク媒体１の各領域と光ディスク装置１００の各構成要素の関係を示す図である。
【００４３】
図７は、本発明の実施の形態２におけるディスク装置１００の動作を示すフローチャートである。
図６において、ディスク媒体１は、光ディスク装置１００に装着される前、ＯＰＣ領域７とデータ領域５と装置媒体情報追記領域８の斜線でハッチングされた部位が記録済である。
【００４４】
ディスク媒体１が、光ディスク装置１００に装着されると（ステップ２０１）、装置媒体情報読み出し部１６１が装置媒体情報追記領域８に最後に記録された装置媒体情報領域９から内容を読み出して装置媒体情報格納バッファ１４０に格納する（ステップ２０２）。
【００４５】
上位制御装置からデータ記録要求があると（ステップ２０３）、ＯＰＣを実施済みでなければ（ステップ２０４）、学習処理部１６３がＯＰＣ領域７から利用可能な領域（図６の黒色で塗りつぶした領域）を選択してＯＰＣを実行し結果を装置媒体情報格納バッファ１４０に反映する（ステップ２０５）。ここで、装置媒体情報格納バッファ１４０の番号ｋにある装置固有情報１０の装置識別子１２が光ディスク装置１００と一致すると、学習結果１３はＯＰＣの参考情報として利用され、新たに学習された値として番号１の装置固有情報１０に配置される。この場合、装置固有情報１０の番号１〜（ｋ−１）にあった内容は、番号２〜ｋへと移動される。引き続いて、データ領域７のデータ記録要求に相当する領域（図６の黒色で塗りつぶされた領域）に記録動作が行われてデータ領域の最終記録位置１５が必要に応じて装置媒体情報格納バッファ１４０に反映される（ステップ２０６）。装置媒体情報格納バッファ１４０の内容が変更されたかどうかは、装置媒体情報制御メモリ１６５にある更新フラグ２１に記憶される。
【００４６】
なお、光ディスク装置１００に一致する装置識別子１２を持つ装置固有情報１０がない場合は、装置媒体情報格納バッファ１４０は図３で示したごとくに装置固有情報が配置される。
【００４７】
上位制御装置からデータ再生要求があると（ステップ２０７）、データ領域７から要求に相当する領域が再生される（ステップ２０８）。なお、装置媒体情報格納バッファ１４０にあるデータ領域の最終記録位置１５を越える範囲に対しては、ディスク媒体１へのアクセスは行われず、例えば０埋めデータが返送されるようにしてもよいし、範囲外であることを示すエラー通知をしてもよい。
【００４８】
上位装置からディスク排出要求があるか（ステップ２０９）、上位装置から所定時間以上何も要求がないと（ステップ２１０）、更新フラグ２１を参照して装置媒体情報格納バッファ１４０の内容に変更があれば（ステップ２１１）、装置媒体情報更新部１６２が装置媒体情報格納バッファ１４０の内容を装置媒体情報追記領域８の次に利用可能な装置媒体情報領域９（図６の黒色で塗りつぶした領域）に記録する（ステップ２１２）。引き続いて、ディスク排出要求があれば、（ステップ２１３）、ディスク媒体１を排出して新たにディスクが装着されるのを待つ（ステップ２１４）。
【００４９】
なお、ステップ２１０の上位装置から所定時間以上の要求がないかの確認は必須ではないが、このステップを入れることにより、（１）不測の電源切りへの耐性の向上、（２）ディスク排出要求を受けてからの迅速な排出動作が図れる。ここでの所定時間として、光ディスク装置１００の消費電力をセーブするためにディスク回転を停止するスタンバイ時間などと兼用してもよく、装置媒体情報９を更新後にディスク回転の停止状態になるからディスク排出動作がより高速になる。
【００５０】
なお、ＥＥＰＲＯＭなどの不揮発性メモリを光ディスク装置１００に備えることで、ステップ２１０を省略しても上記（１）の課題の対処となりうる。この場合、電源が再び入るまではディスク排出を禁止し、電源が再び入った時点で不揮発性メモリに退避した装置媒体情報の内容を装置媒体情報９に記録することとなる。
【００５１】
以下、図８と図９を参照しながら、本発明の実施の形態２における装置媒体情報読み出し部１６１の動作の詳細を説明する。
図８は、本発明の実施の形態２における装置媒体情報読み出し部１６１の動作を示すフローチャートである。
【００５２】
図９は、本発明の実施の形態２における装置媒体情報読み出し部１６１が最後に記録された装置媒体情報領域９をサーチする動作を示す図である。
装置媒体情報追記領域８の端から所定ブロックおきに振幅がなくなるまで検査を行い（第１の振幅検査）、振幅があった位置から振幅がなかった位置の間で振幅がなくなる位置を検査し（第２の振幅検査）、検査により求まった記録済の終端の装置媒体情報領域９の位置を、装置媒体情報制御メモリ１６５にある装置媒体情報の位置２２に記憶する（ステップ３０１）。
【００５３】
装置媒体情報の位置２２に記憶された装置媒体情報領域９から内容を読み出して装置媒体情報格納バッファ１４０に格納するとともに、データ領域の最終記録位置（ＬＲＡ：Ｌａｓｔ　Ｒｅｃｏｒｄｅｄ　Ａｄｄｒｅｓｓ）１５を、装置媒体情報制御メモリ１６５にある媒体に反映済のＬＲＡ（ＦＬＲＡ：Ｆｌｕｓｈｅｄ　Ｌａｓｔ　Ｒｅｃｏｒｄｅｄ　Ａｄｄｒｅｓｓ）２３にコピーする（ステップ３０２）。
【００５４】
なお、ステップ３０２のＦＬＲＡにＬＲＡを設定する動作は、後述するデータ領域管理部１６４の動作（ステップ５０６）に関連しており、必要に応じて、この対となる動作を省いても構わない。
【００５５】
なお、図９で説明した最後に記録された装置媒体情報領域９をサーチする動作は一例であって、第２の振幅検査を装置媒体情報追記領域８の全域に対して行ってもよいし、装置媒体情報追記領域８の全域に対して２分岐探索（バイナリ・サーチ）してもよく、最後に記録された装置媒体情報領域９を検出可能であれば如何なる方法でも構わない。
【００５６】
図１０は、本発明の実施の形態２における学習処理部１６３の動作を示すフローチャートである。
装置媒体情報格納バッファ１４０にある媒体固有情報１１のＯＰＣ領域の利用可能位置１４を参照して、使用するＯＰＣ領域を決定する（ステップ４０１）。
【００５７】
装置媒体情報格納バッファ１４０にある装置固有情報１０の＃ｍに装置識別子１２が一致しているならば学習結果１３を利用して、例えば学習結果１３を中心にデフォルトよりも小さな範囲で学習パラメータを振って、装置識別子１２が一致する装置固有情報１０がなければデフォルト値で、例えばデフォルト値を中心にデフォルトの範囲で学習パラメータを振って、ＯＰＣを実行する（ステップ４０２）。
【００５８】
ＯＰＣにより求めた学習結果を、装置固有情報１０に反映するとともに、装置媒体情報格納バッファ１４０にある複数の装置固有情報１０を時系列順に並べる（ステップ４０３）。
【００５９】
ＯＰＣで使用済になったＯＰＣ領域７の領域を、装置媒体情報格納バッファ１４０にある媒体固有情報１１のＯＰＣ領域の利用可能位置１４に反映する（ステップ４０４）。
【００６０】
装置媒体情報格納バッファ１４０の内容が変更されたことを示すように、装置媒体情報制御メモリ１６５にある更新フラグ２１を設定する。
なお、その装置自身の以前の学習結果１３を参照することによって、１回の学習で消費するＯＰＣ領域を削減してもよいし、同じＯＰＣ領域の消費量でより精度の高い学習をしてもよいし、ＯＰＣの所要時間を短縮してもよい。より効率よくＯＰＣを実施できさえすれば、どのように以前の学習結果１３を用いてもよい。
【００６１】
図１１は、本発明の実施の形態２におけるデータ領域管理部１６４の動作を示すフローチャートである。
記録開始位置（ＳＲＡ）から記録長（ＲＬ）で示されたデータ領域を記録する（ステップ５０１）。
【００６２】
記録開始位置（ＳＲＡ）がデータ領域の最終記録位置（ＬＲＡ）の次の位置よりも大きければ、即ちＬＲＡとＳＲＡの間に未記録領域が残る場合は（５０２）、装置媒体情報格納バッファ１４０の内容を装置媒体情報追記領域８の次に使うべき装置媒体情報領域９に記録させるように更新フラグ２１をセットする（ステップ５０３）。
【００６３】
記録開始位置（ＳＲＡ）と記録長（ＲＬ）を加算した値がデータ領域の最終記録位置（ＬＲＡ）の次の位置よりも大きければ（ステップ５０４）、データ領域の最終記録位置（ＬＲＡ）にステップ５０１で記録した最終記録位置を設定する（ステップ５０５）。
【００６４】
装置媒体情報格納バッファ１４０にあるデータ領域の最終記録位置（ＬＲＡ）と、ディスク媒体１の装置媒体情報追記領域８の装置媒体情報領域９に記録済のＬＲＡ（ＦＬＲＡ）との差が所定値を超える場合（ステップ５０６）、装置媒体情報格納バッファ１４０の内容を装置媒体情報追記領域８の次に使うべき装置媒体情報領域９に記録させるように更新フラグ２１をセットする（ステップ５０７）。
【００６５】
なお、データ領域７が一度でも記録されれば更新フラグ２１をセットしてもよい。しかしながら、装置媒体情報追記領域８の装置媒体情報領域９にも数の制限がある。従って、図１１で示したフローチャートは、更新フラグ２１をセットする条件として、ディスク媒体１が装着されたときに、装置媒体情報領域９から取得したデータ領域の最終記録位置１５を起点として、データ領域７の実際の記録終端位置が正しくサーチできる（例えば、図９に示したサーチ動作をデータ領域に適用できる）こととする。具体的には、（１）装置媒体情報領域９から取得したデータ領域の最終記録位置１５と、データ領域７の実際の記録終端位置との間に未記録領域が残らないこと、（２）装置媒体情報領域９から取得したデータ領域の最終記録位置１５から所定値の範囲に、データ領域７の実際の記録終端位置が存在すること、である。上述した（２）は必須条件ではないが、リーゾナブルな時間内にサーチが完了するために重要である。
【００６６】
ステップ５０６の所定値としては、（データ領域５のサイズ）÷（装置媒体情報追記領域８に割り当てられた装置媒体情報領域９の総数）をＮとすると、Ｎ未満の値、例えばＮの整数分の１にする。
【００６７】
図１２は、本発明の実施の形態２における装置媒体情報更新部１６２の動作を示すフローチャートである。
装置媒体情報制御メモリ１６５にある装置媒体情報の位置２２を参照して、次に利用できる位置に更新し（ステップ６０１）、その位置の装置媒体情報領域９に装置媒体情報格納バッファ１４０の内容を記録し（ステップ６０２）、更新フラグ２１をクリアし（ステップ６０３）、媒体に反映済のＬＲＡ（ＦＬＲＡ）２３にデータ領域の最終記録位置（ＬＲＡ）１５を設定する（ステップ６０４）。
【００６８】
以上から、本発明の実施の形態２によれば、本発明の実施の形態１で示した追記型記録媒体を記録および再生することができる。さらに、ＯＰＣが必要なデータ記録要求に対してＯＰＣの結果とデータ領域の記録状態の反映を一度に行うことと、媒体上の装置媒体情報領域に記載のデータ領域の最終記録位置と実際の最終記録位置に差分を許容したこととにより、装置媒体情報追記領域の消費を抑えことができる。さらに、データ領域の実際の最終記録位置をリーゾナブルな時間内にサーチすることを可能にした情報記録再生装置を提供することができる。
【００６９】
なお、ステップ６０４のＦＬＲＡにＬＲＡを設定する動作は、上述したデータ領域管理部１６４の動作（ステップ５０６）に関連しており、必要に応じて、この対となる動作を省いても構わない。
【００７０】
なお、本発明の説明において、各領域のレイアウトは一例であって、例えばＯＰＣ領域７と装置媒体情報追記領域８の半径位置が逆転してもリードアウト領域６に含まれるように配置しても構わない。
【００７１】
なお、本発明の説明において、各領域の中の使用順序は一例であって、例えばＯＰＣ領域７を内周から順番に、装置媒体情報追記領域８を外周から順番に使っても構わない。
【００７２】
なお、本発明の説明において、装置の構成ブロックおよび動作は一例であって、結果として媒体に記録されるデータ構造が一致する限り、どのようなアルゴリズムであっても構わない。
【００７３】
そのような変更態様は、本発明の精神ならびに適用範囲から逸脱するものでなく、同業者にとって自明な変更態様は、本発明の請求の範囲に含まれるものとする。
【００７４】
【発明の効果】
本発明の追記型記録媒体によれば、装置固有の学習結果を含む装置固有情報１０と、媒体固有のＯＰＣ領域の使用状況さらにはデータ領域の記録状況を含む媒体固有情報１１とを、同じ領域に記録することにより、領域の利用効率の向上と、領域内の最新情報のサーチ高速化が図れる。さらに、媒体固有情報１１に記載されるデータ領域の記録状況として、データ領域の最終記録位置より内周側に未記録領域を含むことを許容することで、ランダムな場所に記録をすることができる。
【００７５】
本発明の情報記録再生方法および情報記録再生装置によれば、上述した追記型記録媒体を記録および再生することができる。さらに、ＯＰＣが必要なデータ記録要求に対してＯＰＣの結果とデータ領域の記録状態の反映を一度に行うことと、媒体上の装置媒体情報領域に記載のデータ領域の最終記録位置と実際の最終記録位置に差分を許容したこととにより、装置媒体情報追記領域の消費を抑えことができる。さらに、データ領域の実際の最終記録位置をリーゾナブルな時間内にサーチすることを可能にした情報記録再生装置を提供することができる。
【図面の簡単な説明】
【図１】本発明の実施の形態１における光ディスクの領域構成図
【図２】本発明の実施の形態１における装置媒体情報領域９のデータ構造を示す図
【図３】本発明の実施の形態１におけるＯＰＣ領域７の記録状態に伴う装置媒体情報領域９の内容変化の一例を示す図
【図４】本発明の実施の形態１におけるデータ領域５の記録状態に伴う装置媒体情報領域９の内容変化の一例を示す図
【図５】本発明の実施の形態２の光ディスク装置１００の構成図
【図６】本発明の実施の形態２におけるディスク媒体１の各領域と光ディスク装置１００の各構成要素の関係を示す図
【図７】本発明の実施の形態２におけるディスク装置１００の動作を示すフローチャート
【図８】本発明の実施の形態２における装置媒体情報読み出し部１６１の動作を示すフローチャート
【図９】本発明の実施の形態２における装置媒体情報読み出し部１６１が最後に記録された装置媒体情報領域９をサーチする動作を示す図
【図１０】本発明の実施の形態２における学習処理部１６３の動作を示すフローチャート
【図１１】本発明の実施の形態２におけるデータ領域管理部１６４の動作を示すフローチャート
【図１２】本発明の実施の形態２における装置媒体情報更新部１６２の動作を示すフローチャート
【符号の説明】
１　　ディスク媒体
２　　トラック
３　　ブロック
４　　リードイン領域
５　　データ領域
６　　リードアウト領域
７　　ＯＰＣ領域
８　　装置媒体情報追記領域
９　　装置媒体情報領域
１０　　装置固有情報
１１　　媒体固有情報
１２　　装置識別子
１３　　学習結果
１４　　ＯＰＣ領域の利用可能位置
１５　　データ領域の最終記録位置
２１　　更新フラグ
２２　　装置媒体情報の位置
２３　　媒体に反映済のＬＲＡ
１００　　光ディスク装置
１１０　　命令処理部
１２０　　記録制御部
１３０　　再生制御部
１４０　　装置媒体情報格納バッファ
１５０　　データバッファ
１６０　　装置媒体情報処理部
１６１　　装置媒体情報読み出し部
１６２　　装置媒体情報更新部
１６３　　学習処理部
１６４　　データ領域管理部
１６５　　装置媒体情報制御メモリ
１７０　　Ｉ／Ｏバス
【図１】
2004146008.tif 000003
【図２】
2004146008.tif 000004
【図３】
2004146008.tif 000005
【図４】
2004146008.tif 000006
【図５】
2004146008.tif 000007
【図６】
2004146008.tif 000008
【図７】
2004146008.tif 000009
【図８】
2004146008.tif 000010
【図９】
2004146008.tif 000011
【図１０】
2004146008.tif 000012
【図１１】
2004146008.tif 000013
【図１２】
2004146008.tif 000014